(57)【要約】【課題】点字処理装置を利用して、地図に関連する情報を視覚障害者にも理解しやすい形態で提供することが望まれている。【解決手段】プログラムは、地図の縮尺を示す第１縮尺を受け付ける縮尺受付部、地図上の第１地点を受け付ける地点受付部、地図上のそれぞれの地点を含む縮尺に応じた大きさの領域に関連する情報を示す地図データを参照して、第１地点を含む第１縮尺に応じた大きさの第１領域に関連する第１情報を特定する情報特定部、及び第１情報を点字出力装置の音声出力部に音声で出力させる音声出力制御部としてコンピュータを機能させる。【選択図】図２
2020060999.tif 000002
【特許請求の範囲】
【請求項１】
地図の縮尺を示す第１縮尺を受け付ける縮尺受付部、
前記地図上の第１地点を受け付ける地点受付部、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部、及び
前記第１情報を点字出力装置の音声出力部に音声で出力させる音声出力制御部
としてコンピュータを機能させるためのプログラム。
【請求項２】
前記点字出力装置は、点字を出力する複数の点字出力部を備え、
前記第１情報に対応する第１点字を予め定められた条件に基づいて特定する点字特定部、及び
前記複数の点字出力部のうち前記第１地点に対応付けられた第１点字出力部に前記第１点字を出力させる点字出力制御部
として前記コンピュータを機能させる、請求項１に記載のプログラム。
【請求項３】
前記複数の点字出力部のうちの何れか１つの選択を受け付ける選択受付部として前記コンピュータをさらに機能させ、
前記情報特定部は、前記地図データを参照して、前記選択受付部により選択された点字出力部に対応付けられた地点を含む前記第１縮尺に応じた大きさの領域に関連する情報を特定し、前記音声出力制御部は、前記第１縮尺に応じた大きさの領域に関連する情報を前記音声出力部に音声で出力させる、請求項２に記載のプログラム。
【請求項４】
地図の縮尺を示す第１縮尺を受け付ける縮尺受付部、
前記地図上の第１地点を受け付ける地点受付部、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部、
前記第１情報に対応する第１点字を予め定められた条件に基づいて特定する点字特定部、及び
点字出力装置が備える複数の点字出力部のうち前記第１地点に対応付けられた第１点字出力部に前記第１点字を出力させる点字出力制御部
としてコンピュータを機能させるためのプログラム。
【請求項５】
前記領域に関連する情報は、前記領域に含まれる道路に関する情報、または施設もしくは地名に関する情報を含む、請求項２から４の何れか１つに記載のプログラム。
【請求項６】
前記領域に関連する情報は、縮尺が第１縮尺範囲に含まれる場合、前記領域に含まれる道路に関する情報、または施設もしくは地名に関する情報を含み、縮尺が前記第１縮尺範囲より縮尺が大きい第２縮尺範囲に含まれる場合、前記領域に含まれる施設もしくは地名に関する情報を含む、請求項５に記載のプログラム。
【請求項７】
前記道路に関する情報は、前記領域に含まれる予め定められた条件を満たす一本の道路の方位または交差点の情報を含み、
前記点字特定部は、前記第１情報が前記道路に関する情報である場合、前記第１情報に含まれる道路の方位または交差点に前記予め定められた条件に従って対応付けられた点字を前記第１点字として特定する、請求項５または６に記載のプログラム。
【請求項８】
前記点字は、６点式点字である、請求項２から７の何れか１つに記載のプログラム。
【請求項９】
前記複数の点字出力部は、一列に配置され、
前記情報特定部は、前記地図データを参照して、前記第１地点から前記第１縮尺に応じた予め定められた距離だけ第１方向に離れた第２地点を含む前記第１縮尺に応じた大きさの第２領域に関連する第２情報を特定し、
前記点字特定部は、前記第２情報に対応する第２点字を前記予め定められた条件に基づいて特定し、
前記点字出力制御部は、前記複数の点字出力部のうち、前記第１点字出力部の一方の側に配置され、前記第２地点に対応付けられた第２点字出力部に前記第２点字を出力させる、請求項２から８の何れか１つに記載のプログラム。
【請求項１０】
前記情報特定部は、前記地図データを参照して、前記第１地点から前記第１縮尺に応じた予め定められた距離だけ第２方向に離れた第３地点を含む前記第１縮尺に応じた大きさの第３領域に関連する第３情報を特定し、
前記点字特定部は、前記第３情報に対応する第３点字を前記予め定められた条件に基づいて特定し、
前記点字出力制御部は、前記複数の点字出力部のうち、前記第１点字出力部の他方の側に配置され、前記第３地点に対応付けられた第３点字出力部に前記第３点字を出力させる、請求項９に記載のプログラム。
【請求項１１】
前記第１地点を第１方向または前記第１方向とは異なる第２方向に沿って前記第１縮尺に応じた予め定められた距離だけ移動させる移動指示を受け付ける移動指示受付部として前記コンピュータをさらに機能させ、
前記情報特定部は、前記移動指示受付部が前記移動指示を受け付けることに対応して、前記地図データを参照して、移動後の前記第１地点を含む前記第１縮尺に応じた大きさの新たな第１領域に関連する新たな第１情報を特定し、
前記点字特定部は、前記新たな第１情報に対応する新たな第１点字を前記予め定められた条件に基づいて特定し、
前記点字出力制御部は、前記第１点字出力部に前記新たな第１点字を出力させる、請求項２から１０の何れか１つに記載のプログラム。
【請求項１２】
前記情報特定部は、前記縮尺受付部が縮尺の変更を受け付けることに対応して、前記地図データを参照して、縮尺が変更される前の前記第１地点を含む変更後の第１縮尺に応じた大きさの新たな第１領域に関連する新たな第１情報を特定し、
前記点字特定部は、前記新たな第１情報に対応する新たな第１点字を前記予め定められた条件に基づいて特定し、
前記点字出力制御部は、前記第１点字出力部に前記新たな第１点字を出力させる、請求項２から１１の何れか１つに記載のプログラム。
【請求項１３】
音声出力部と、
地図の縮尺を示す第１縮尺を受け付ける縮尺受付部と、
前記地図上の第１地点を受け付ける地点受付部と、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部と、
前記第１情報を前記音声出力部に音声で出力させる音声出力制御部と
を備える音声出力装置。
【請求項１４】
点字を出力する複数の点字出力部と、
地図の縮尺を示す第１縮尺を受け付ける縮尺受付部と、
前記地図上の第１地点を受け付ける地点受付部と、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部と、
前記第１情報に対応する第１点字を予め定められた条件に基づいて特定する点字特定部と、
前記複数の点字出力部のうち前記第１地点に対応付けられた第１点字出力部に前記第１点字を出力させる点字出力制御部と
を備える点字出力装置。
【請求項１５】
前記複数の点字出力部は、一列に配列されている、請求項１４に記載の点字出力装置。
【請求項１６】
音声出力部と、
前記第１情報を前記音声出力部に音声で出力させる音声出力制御部と
をさらに備える、請求項１４または１５に記載の点字出力装置。
【請求項１７】
前記第１地点を第１方向に沿って一方側に前記第１縮尺に応じた第１距離だけ移動させる移動指示を出力する第１指示部と、
前記第１地点を前記第１方向に沿って他方側に前記第１距離だけ移動させる移動指示を出力する第２指示部と、
前記第１地点を前記第１方向とは異なる第２方向に沿って一方側に前記第１縮尺に応じた第２距離だけ移動させる移動指示を出力する第３指示部と、
前記第１地点を前記第２方向に沿って他方側に前記第２距離だけ移動させる移動指示を出力する第４指示部と、
前記第１指示部、前記第２指示部、前記第３指示部、及び前記第４指示部の何れかからの移動指示を受け付ける移動指示受付部と
をさらに備え、
前記情報特定部は、前記移動指示受付部が前記移動指示を受け付けることに対応して、前記地図データを参照して、移動後の前記第１地点を含む前記第１縮尺に応じた大きさの新たな第１領域に関連する新たな第１情報を特定し、
前記点字特定部は、前記新たな第１情報に対応する新たな第１点字を前記予め定められた条件に基づいて特定し、
前記点字出力制御部は、前記第１点字出力部に前記新たな第１点字を出力させる、請求項１４から１６の何れか１つに記載の点字出力装置。
【請求項１８】
前記第１地点を前記第１方向に沿って一方側に前記第１縮尺に応じた第１距離より長い第３距離だけ移動させる移動指示を出力する第５指示部と、
前記第１地点を前記第１方向に沿って他方側に前記第３距離だけ移動させる移動指示を出力する第６指示部と、
前記第１地点を前記第２方向に沿って一方側に前記第１縮尺に応じた前記第２距離より長い第４距離だけ移動させる移動指示を出力する第７指示部と、
前記第１地点を前記第２方向に沿って他方側に前記第４距離だけ移動させる移動指示を出力する第８指示部と
をさらに備え、
前記移動指示受付部は、前記第５指示部、前記第６指示部、前記第７指示部、及び前記第８指示部の何れかからの移動指示をさらに受け付ける、請求項１７に記載の点字出力装置。
【請求項１９】
地図の縮尺を示す第１縮尺を受け付ける段階と、
前記地図上の第１地点を受け付ける段階と、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する段階と、
前記第１情報を点字出力装置の音声出力部に音声で出力させる段階と
を備える音声出力方法。
【請求項２０】
地図の縮尺を示す第１縮尺を受け付ける段階と、
前記地図上の第１地点を受け付ける段階と、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する段階と、
前記第１情報に対応する第１点字を予め定められた条件に基づいて特定する段階と、
点字出力装置が備える複数の点字出力部のうち前記第１地点に対応付けられた第１点字出力部に前記第１点字を出力させる段階と
を備える点字出力方法。
【発明の詳細な説明】
【技術分野】
【０００１】
本発明は、プログラム、音声出力装置、点字出力装置、音声出力方法、及び点字出力方法に関する。
【背景技術】
【０００２】
特許文献１には、点字入力キー、通信機能、及び点字表示部を備えた点字処理装置が開示されている。点字表示部は、点字入力キーに入力された文字情報、及び通信機能を利用して外部装置から送られてくる文字情報を点字で表示する。
特許文献１  特開２００１−１０９３７０号公報
【発明の概要】
【発明が解決しようとする課題】
【０００３】
上記のような点字処理装置を利用して、地図に関連する情報を視覚障害者にも理解しやすい形態で提供することが望まれている。
【課題を解決するための手段】
【０００４】
本発明の一態様に係るプログラムは、地図の縮尺を示す第１縮尺を受け付ける縮尺受付部、地図上の第１地点を受け付ける地点受付部、地図上のそれぞれの地点を含む縮尺に応じた大きさの領域に関連する情報を示す地図データを参照して、第１地点を含む第１縮尺に応じた大きさの第１領域に関連する第１情報を特定する情報特定部、第１情報を点字出力装置の音声出力部に音声で出力させる音声出力制御部としてコンピュータを機能させてよい。
【０００５】
点字出力装置は、点字を出力する複数の点字出力部を備えてよい。プログラムは、第１情報に対応する第１点字を予め定められた条件に基づいて特定する点字特定部、及び複数の点字出力部のうち第１地点に対応付けられた第１点字出力部に第１点字を出力させる点字出力制御部としてコンピュータを機能させてよい。
【０００６】
プログラムは、複数の点字出力部のうちの何れか１つの選択を受け付ける選択受付部としてコンピュータをさらに機能させてよい。情報特定部は、地図データを参照して、選択受付部により選択された点字出力部に対応付けられた地点を含む第１縮尺に応じた大きさの領域に関連する情報を特定してよい。音声出力制御部は、第１縮尺に応じた大きさの領域に関連する情報を音声出力部に音声で出力させてよい。
【０００７】
本発明の一態様に係るプログラムは、地図の縮尺を示す第１縮尺を受け付ける縮尺受付部、地図上の第１地点を受け付ける地点受付部、地図上のそれぞれの地点を含む縮尺に応じた大きさの領域に関連する情報を示す地図データを参照して、第１地点を含む第１縮尺に応じた大きさの第１領域に関連する第１情報を特定する情報特定部、第１情報に対応する第１点字を予め定められた条件に基づいて特定する点字特定部、及び点字出力装置が備える複数の点字出力部のうち第１地点に対応付けられた第１点字出力部に第１点字を出力させる点字出力制御部としてコンピュータを機能させてよい。
【０００８】
領域に関連する情報は、領域に含まれる道路に関する情報、または施設もしくは地名に関する情報を含んでよい。
【０００９】
領域に関連する情報は、縮尺が第１縮尺範囲に含まれる場合、領域に含まれる道路に関する情報、または施設もしくは地名に関する情報を含んでよい。縮尺が第１縮尺範囲より縮尺が大きい第２縮尺範囲に含まれる場合、領域に含まれる施設もしくは地名に関する情報を含んでよい。
【００１０】
道路に関する情報は、領域に含まれる予め定められた条件を満たす一本の道路の方位または交差点の情報を含んでよい。点字特定部は、第１情報が道路に関する情報である場合、第１情報に含まれる道路の方位または交差点に予め定められた条件に従って対応付けられた点字を第１点字として特定してよい。
【００１１】
点字は、６点式点字であってよい。
【００１２】
複数の点字出力部は、一列に配置されてよい。情報特定部は、地図データを参照して、第１地点から第１縮尺に応じた予め定められた距離だけ第１方向に離れた第２地点を含む第１縮尺に応じた大きさの第２領域に関連する第２情報を特定してよい。点字特定部は、第２情報に対応する第２点字を予め定められた条件に基づいて特定してよい。点字出力制御部は、複数の点字出力部のうち、第１点字出力部の一方の側に配置され、第２地点に対応付けられた第２点字出力部に第２点字を出力させてよい。
【００１３】
情報特定部は、地図データを参照して、第１地点から第１縮尺に応じた予め定められた距離だけ第２方向に離れた第３地点を含む第１縮尺に応じた大きさの第３領域に関連する第３情報を特定してよい。点字特定部は、第３情報に対応する第３点字を予め定められた条件に基づいて特定してよい。点字出力制御部は、複数の点字出力部のうち、第１点字出力部の他方の側に配置され、第３地点に対応付けられた第３点字出力部に第３点字を出力させてよい。
【００１４】
プログラムは、第１地点を第１方向または第１方向とは異なる第２方向に沿って第１縮尺に応じた予め定められた距離だけ移動させる移動指示を受け付ける移動指示受付部としてコンピュータをさらに機能させてよい。情報特定部は、移動指示受付部が移動指示を受け付けることに対応して、地図データを参照して、移動後の第１地点を含む第１縮尺に応じた大きさの新たな第１領域に関連する新たな第１情報を特定してよい。点字特定部は、新たな第１情報に対応する新たな第１点字を予め定められた条件に基づいて特定してよい。点字出力制御部は、第１点字出力部に新たな第１点字を出力させてよい。
【００１５】
情報特定部は、縮尺受付部が縮尺の変更を受け付けることに対応して、地図データを参照して、縮尺が変更される前の第１地点を含む変更後の第１縮尺に応じた大きさの新たな第１領域に関連する新たな第１情報を特定してよい。点字特定部は、新たな第１情報に対応する新たな第１点字を予め定められた条件に基づいて特定してよい。点字出力制御部は、第１点字出力部に新たな第１点字を出力させてよい。
【００１６】
本発明の一態様に係る音声出力装置は、音声出力部と、地図の縮尺を示す第１縮尺を受け付ける縮尺受付部と、地図上の第１地点を受け付ける地点受付部と、地図上のそれぞれの地点を含む縮尺に応じた大きさの領域に関連する情報を示す地図データを参照して、第１地点を含む第１縮尺に応じた大きさの第１領域に関連する第１情報を特定する情報特定部と、第１情報を音声出力部に音声で出力させる音声出力制御部とを備えてよい。
【００１７】
本発明の一態様に係る点字出力装置は、点字を出力する複数の点字出力部と、地図の縮尺を示す第１縮尺を受け付ける縮尺受付部と、地図上の第１地点を受け付ける地点受付部と、地図上のそれぞれの地点を含む縮尺に応じた大きさの領域に関連する情報を示す地図データを参照して、第１地点を含む第１縮尺に応じた大きさの第１領域に関連する第１情報を特定する情報特定部と、第１情報に対応する第１点字を予め定められた条件に基づいて特定する点字特定部と、複数の点字出力部のうち第１地点に対応付けられた第１点字出力部に第１点字を出力させる点字出力制御部とを備えてよい。
【００１８】
複数の点字出力部は、一列に配列されてよい。
【００１９】
点字出力装置は、音声出力部と、第１情報を音声出力部に音声で出力させる音声出力制御部とをさらに備えてよい。
【００２０】
点字出力装置は、第１地点を第１方向に沿って一方側に第１縮尺に応じた第１距離だけ移動させる移動指示を出力する第１指示部と、第１地点を第１方向に沿って他方側に第１距離だけ移動させる移動指示を出力する第２指示部と、第１地点を第１方向とは異なる第２方向に沿って一方側に第１縮尺に応じた第２距離だけ移動させる移動指示を出力する第３指示部と、第１地点を第２方向に沿って他方側に第２距離だけ移動させる移動指示を出力する第４指示部と、第１指示部、第２指示部、第３指示部、及び第４指示部の何れかからの移動指示を受け付ける移動指示受付部とをさらに備えてよい。情報特定部は、移動指示受付部が移動指示を受け付けることに対応して、地図データを参照して、移動後の第１地点を含む第１縮尺に応じた大きさの新たな第１領域に関連する新たな第１情報を特定してよい。点字特定部は、新たな第１情報に対応する新たな第１点字を予め定められた条件に基づいて特定してよい。点字出力制御部は、第１点字出力部に新たな第１点字を出力させてよい。
【００２１】
点字出力装置は、第１地点を第１方向に沿って一方側に第１縮尺に応じた第１距離より長い第３距離だけ移動させる移動指示を出力する第５指示部と、第１地点を第１方向に沿って他方側に第３距離だけ移動させる移動指示を出力する第６指示部と、第１地点を第２方向に沿って一方側に第１縮尺に応じた第２距離より長い第４距離だけ移動させる移動指示を出力する第７指示部と、第１地点を第２方向に沿って他方側に第４距離だけ移動させる移動指示を出力する第８指示部とをさらに備えてよい。移動指示受付部は、第５指示部、第６指示部、第７指示部、及び第８指示部の何れかからの移動指示をさらに受け付けてよい。
【００２２】
本発明の一態様に係る音声出力方法は、地図の縮尺を示す第１縮尺を受け付ける段階と、地図上の第１地点を受け付ける段階と、地図上のそれぞれの地点を含む縮尺に応じた大きさの領域に関連する情報を示す地図データを参照して、第１地点を含む第１縮尺に応じた大きさの第１領域に関連する第１情報を特定する段階と、第１情報を点字出力装置の音声出力部に音声で出力させる段階とを備えてよい。
【００２３】
本発明の一態様に係る点字出力方法は、地図の縮尺を示す第１縮尺を受け付ける段階と、地図上の第１地点を受け付ける段階と、地図上のそれぞれの地点を含む縮尺に応じた大きさの領域に関連する情報を示す地図データを参照して、第１地点を含む第１縮尺に応じた大きさの第１領域に関連する第１情報を特定する段階と、第１情報に対応する第１点字を予め定められた条件に基づいて特定する段階と、点字出力装置が備える複数の点字出力部のうち第１地点に対応付けられた第１点字出力部に第１点字を出力させる段階とを備えてよい。
【００２４】
なお、上記の発明の概要は、本発明の必要な特徴の全てを列挙したものではない。また、これらの特徴群のサブコンビネーションもまた、発明となりうる。
【図面の簡単な説明】
【００２５】
【図１】点字出力装置の外観の一例を示す平面図である。
【図２】点字出力装置の機能ブロックの一例を示す図である。
【図３Ａ】領域に関連する情報に対応する点字と、当該点字を特定するための予め定められた条件との対応関係を示す図である。
【図３Ｂ】領域に関連する情報に対応する点字と、当該点字を特定するための予め定められた条件との対応関係を示す図である。
【図３Ｃ】領域に関連する情報に対応する点字と、当該点字を特定するための予め定められた条件との対応関係を示す図である。
【図４Ａ】領域に含まれる道路の方位を点字ディスプレイに表示するか否かを決定する手法を説明するための図である。
【図４Ｂ】領域に含まれる道路の方位を点字ディスプレイに表示するか否かを決定する手法を説明するための図である。
【図４Ｃ】領域に含まれる道路の方位を点字ディスプレイに表示するか否かを決定する手法を説明するための図である。
【図４Ｄ】点字ディスプレイに表示される道路の方位を決定する手法を説明するための図である。
【図４Ｅ】点字ディスプレイに表示される道路の方位を決定する手法を説明するための図である。
【図５】地図上の道路及び施設・地名を含む点字マップ上に点字ディスプレイを重ねあわせたイメージを示す図である。
【図６】地図上の道路のみを含む点字マップ上に点字ディスプレイを重ねあわせたイメージを示す図である。
【図７】地図上の施設・地名のみを含む点字マップ上に点字ディスプレイを重ねあわせたイメージを示す図である。
【図８Ａ】地図上のルートを示す情報を含む点字マップを示す図である。
【図８Ｂ】地図上のルートの出発地周辺の領域を含む点字マップ上に点字ディスプレイを重ねあわせたイメージを示す図である。
【図８Ｃ】地図上のルートの通過地点周辺の領域を含む点字マップ上に点字ディスプレイを重ねあわせたイメージを示す図である。
【図８Ｄ】地図上のルートの目的地周辺の領域を含む点字マップ上に点字ディスプレイを重ねあわせたイメージを示す図である。
【図９】日本地図上に点字ディスプレイを重ねあわせたイメージを示す図である。
【図１０】世界地図上に点字ディスプレイを重ねあわせたイメージを示す図である。
【図１１】点字マップを出力する手順の一例を示すフローチャートである。
【図１２】ハードウェア構成の一例を示す図である。
【発明を実施するための形態】
【００２６】
以下、発明の実施の形態を通じて本発明を説明するが、以下の実施の形態は特許請求の範囲に係る発明を限定するものではない。また、実施の形態の中で説明されている特徴の組み合わせの全てが発明の解決手段に必須であるとは限らない。以下の実施の形態に、多様な変更または改良を加えることが可能であることが当業者に明らかである。そのような変更または改良を加えた形態も本発明の技術的範囲に含まれ得ることが、特許請求の範囲の記載から明らかである。
【００２７】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００２８】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２９】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、もしくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００３０】
図１は、点字出力装置１の外観の一例を示す平面図である。点字出力装置１は、音声出力装置の一例である。点字出力装置１は、例えば、視覚障害者を支援するための情報通信端末として機能する。点字出力装置１は、キー入力部１００、点字ディスプレイ２００、及び音声出力部３００を備える。点字出力装置１は、都市、ランドマーク、道路の方位等の地図上の情報を点字ディスプレイ２００に表示し、音声出力部３００に音声で出力させるための点字マップ機能を有する。
【００３１】
キー入力部１００は、第１点字キー１０２、第２点字キー１０４、第３点字キー１０６、第４点字キー１０８、第５点字キー１１０、及び第６点字キー１１２を有する。これらは、例えばパーキンス式のキー配列に従って配置されてよい。第１点字キー１０２、第２点字キー１０４、第３点字キー１０６、第４点字キー１０８、第５点字キー１１０、及び第６点字キー１１２のそれぞれは、点字表記の１の点、２の点、３の点、４の点、５の点、及び６の点に関連付けられている。第１点字キー１０２、第２点字キー１０４、第３点字キー１０６、第４点字キー１０８、第５点字キー１１０、及び第６点字キー１１２のうち、出力すべき点字に対応する少なくとも１つの点字キーを同時に押下することで、点字ディスプレイ２００は、出力すべき点字を表示する。または、音声出力部３００が出力すべき点字に対応する音声を出力する。
【００３２】
キー入力部１００は、バックスペースキー１１４、エンターキー１１６、スペースキー１１８、第１ファンクションキー１２０、第２ファンクションキー１２２、第３ファンクションキー１２４、第４ファンクションキー１２６、上スクロールキー１２８、下スクロールキー１３０、及びタッチカーソル１３２をさらに有する。キー入力部１００の複数の構成要素の組み合わせが、点字マップ機能を操作するためのショートカットキーとして用いられる。例えば、バックスペースキー１１４と、アルファベットの小文字「ｍ」を表す点字キーである第１点字キー１０２、第３点字キー１０６、及び第４点字キー１０８とが同時に押下されると、点字出力装置１は点字マップを起動させる。
【００３３】
点字ディスプレイ２００は、複数の点字出力部２０２を有する。複数の点字出力部２０２のそれぞれは、点字を出力する。複数の点字出力部２０２のそれぞれは、触覚的に判別可能に点字を出力する。複数の点字出力部２０２は、点字セルにより構成される。複数の点字出力部２０２は、それぞれ点字セルの一例であってよい。点字ディスプレイ２００は、３２マスまたは１８マスの点字セルにより構成されてよい。複数の点字出力部２０２は、一列に配列されてよい。複数の点字出力部２０２は、点字の文章を横書きで表示する態様で一列に配置されてよい。点字マップ機能を実行している間、一列に配列された複数の点字出力部２０２のうち、一方の端に配置されている点字出力部２０２は使用されなくてよい。複数の点字出力部２０２のそれぞれは、キー入力部１００の入力または通信ネットワークを介して受信した情報に応じて、文字または英数字を点字で出力する。複数の点字出力部２０２のそれぞれに出力される点字は、６点式点字であってよい。複数の点字出力部２０２のそれぞれに出力される点字は、８点式点字であってもよい。
【００３４】
複数の点字出力部２０２は、タッチカーソル１３２と並列に配列されてよい。複数の点字出力部２０２のそれぞれは、タッチカーソル１３２のそれぞれに関連付けられている。点字出力部２０２の上部にあるタッチカーソル１３２が押下されると、点字出力装置１は、点字出力部２０２に出力されている点字に対応する情報を音声出力部３００に音声で出力させる。
【００３５】
点字出力装置１は、液晶ディスプレイ３０２をさらに備えてよい。液晶ディスプレイ３０２は、点字ディスプレイ２００に出力されている点字を文字で出力してよい。液晶ディスプレイ３０２は、主に、視覚障害者による点字出力装置１の操作を晴眼者がサポートするために利用される。
【００３６】
以上のように構成された点字出力装置１を用いて、地図に関連する情報を視覚障害者にも理解しやすい形態で提供することが望まれている。そこで、本実施形態に係る点字出力装置１は、地図上の地点を含む縮尺に応じた大きさの領域に関連する情報を複数の点字出力部２０２に点字で出力させる、または当該情報を音声出力部３００に音声で出力させる。
【００３７】
図２は、点字出力装置１の機能ブロックの一例を示す図である。点字出力装置１は、キー入力部１００、点字ディスプレイ２００、音声出力部３００、制御部４００、及びメモリ部５００を備える。制御部４００は、コンピュータの一例である。制御部４００は、ＣＰＵまたはＭＰＵなどのマイクロプロセッサ、ＭＣＵなどのマイクロコントローラなどにより構成されてよい。メモリ部５００は、コンピュータ読取可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ部５００は、制御部４００が、点字ディスプレイ２００及び音声出力部３００などを制御するのに必要なプログラム等を格納する。メモリ部５００は、点字出力装置１の筐体の内部に設けられてよい。メモリ部５００は、点字出力装置１の筐体から取り外し可能に設けられてよい。
【００３８】
制御部４００は、縮尺受付部４０２、地点受付部４０４、移動指示受付部４０６、情報特定部４０８、点字特定部４１０、音声出力制御部４１２、選択受付部４１４、及び点字出力制御部４１６を有する。メモリ部５００は、地図データ５０２、移動指示データ５１０、及び点字データ５１２を有する。地図データ５０２は、領域に関連する情報５０４を含み、領域に関連する情報５０４は、領域に含まれる道路に関する情報５０６、または施設もしくは地名に関する情報５０８を含む。地図データ５０２は、インターネットを介して提供されるウェブマップ及び予めメモリ部５００に予め格納された地図データであってよい。領域は、緯度及び経度により画定されてよい。領域は、矩形の領域でよい。領域は、例えば、地図の南西（左下）と北東（右下）の２つの頂点に対応する２つの緯度経度で画定される矩形の領域でよい。
【００３９】
縮尺受付部４０２は、地図の縮尺を示す第１縮尺を受け付ける。縮尺受付部４０２は、キー入力部１００を介してユーザにより選択された地図の縮尺の値を第１縮尺として受け付けてよい。縮尺受付部４０２は、予め設定された地図の縮尺の値を第１縮尺として受け付けてよい。地図の縮尺は、１つの点字出力部２０２に対応付けられた地図上の東西方向及び南北方向の範囲を表してよい。地図の縮尺の値は、１０ｍ、２０ｍ、３０ｍ、５０ｍ、１００ｍ、２００ｍ、５００ｍ、１ｋｍ、２ｋｍ、５ｋｍ、１０ｋｍ、及び１００ｋｍを含んでよい。複数の点字出力部２０２が３１マスの点字セルにより構成される場合、複数の点字出力部２０２は、地図の縮尺の値に応じて、東西に３１０ｍから３１００ｋｍの範囲、及び南北に１０ｍから１００ｋｍの範囲の地図上のそれぞれの領域に対応付けられる。
【００４０】
地点受付部４０４は、地図上の第１地点を受け付ける。地点受付部４０４は、グローバルポジショニングシステム（ＧＰＳ）により取得された緯度経度で示される現在位置を地図上の第１地点として受け付けてよい。地点受付部４０４は、ウェブマップまたは予めメモリ部５００に予め格納された地図データに規定されている地図上の関心のあるポイント（ＰＯＩ）を地図上の第１地点として受け付けてよい。地点受付部４０４は、ユーザによりメモリ部５００に予め登録されたランドマークリストの中からユーザにより選択されたランドマークを地図上の第１地点として、キー入力部１００を介して受け付けてよい。
【００４１】
情報特定部４０８は、メモリ部５００に格納された地図上のそれぞれの地点を含む縮尺に応じた大きさの領域に関連する情報を示す地図データ５０２を参照して、第１地点を含む第１縮尺に応じた大きさの第１領域に関連する第１情報を特定する。情報特定部４０８は、地点を含む縮尺に応じた大きさの領域に関連する第１情報として、ＧＰＳにより取得された現在位置の緯度経度、ＰＯＩに関連付けられた国名、都市名、施設名、または道路名、もしくはユーザにより予め登録されたランドマーク名を特定してよい。
【００４２】
音声出力制御部４１２は、第１情報を点字出力装置１の音声出力部３００に音声で出力させる。音声出力制御部４１２は、ＧＰＳにより取得された現在位置の緯度経度、ＰＯＩに関連付けられた国名、都市名、施設名、または道路名、もしくはユーザにより予め登録されたランドマーク名を第１情報として、点字出力装置１の音声出力部３００に音声で出力させる。
【００４３】
点字特定部４１０は、第１情報に対応する第１点字を予め定められた条件に基づいて特定する。点字出力制御部４１６は、複数の点字出力部２０２のうちの第１地点に対応付けられた予め定められた点字出力部２０２に第１点字を出力させる。点字出力制御部４１６は、一列に配列された複数の点字出力部２０２のうち、中央に配置された点字出力部２０２に第１点字を出力させてよい。中央に配置された点字出力部２０２は、第１点字出力部の一例である。情報特定部４０８は、縮尺受付部４０２が縮尺の変更を受け付けることに対応して、地図データを参照して、縮尺が変更される前の第１地点を含む変更後の第１縮尺に応じた大きさの新たな第１領域に関連する新たな第１情報を特定してよい。点字特定部４１０は、新たな第１情報に対応する新たな第１点字を予め定められた条件に基づいて特定してよい。点字出力制御部４１６は、中央に配置された点字出力部２０２に新たな第１点字を出力させてよい。すなわち、中央などの特定の位置に配置された点字出力部２０２は、縮尺によって領域が変更されても、関連付けられている地点は変更されなくてよい。例えば、点字出力制御部４１６は、縮尺受付部４０２が縮尺の変更を受け付けた場合、当該第１地点に対応する領域に関連する第１情報を中央に配置された点字出力部２０２に出力してよい。これにより、縮尺の変更に応じて第１地点を中央に配置された点字出力部２０２に維持することができる。点字出力装置１のユーザは、第１地点を見失うことなく縮尺の変更に応じた地図上の領域に関連する情報を把握することができる。
【００４４】
選択受付部４１４は、複数の点字出力部２０２のうちの何れか１つの選択を受け付ける。選択受付部４１４は、複数の点字出力部２０２のそれぞれに対応するタッチカーソル１３２のうちの１つの選択を受け付けてよい。情報特定部４０８は、地図データ５０２を参照して、選択受付部４１４により選択された点字出力部に対応付けられた地点を含む第１縮尺に応じた大きさの領域に関連する情報を特定する。音声出力制御部４１２は、第１縮尺に応じた大きさの領域に関連する情報を音声出力部３００に音声で出力させる。点字出力部２０２に対応付けられた地点は、ＧＰＳにより取得された現在位置に対応してよい。点字出力部２０２に対応付けられた地点は、地図上のＰＯＩに対応してよい。点字出力部２０２に対応付けられた地点は、ユーザにより予め登録されたランドマークが存在する地図上の地点に対応してよい。情報特定部４０８は、地点を含む縮尺に応じた大きさの領域に関連する情報として、ＧＰＳにより取得された現在位置の緯度経度、地図上のＰＯＩに関連付けられた国名、都市名、施設名、または道路名、もしくはユーザにより予め登録されたランドマーク名を特定してよい。
【００４５】
領域に関連する情報５０４は、縮尺が第１縮尺範囲に含まれる場合、領域に含まれる道路に関する情報５０６、または施設もしくは地名に関する情報５０８を含む。領域に関連する情報５０４は、縮尺が第１縮尺範囲より縮尺が大きい第２縮尺範囲に含まれる場合、領域に含まれる施設もしくは地名に関する情報５０８を含む。領域に関連する情報は、縮尺の大きさに応じた優先順位が関連付けられていてよい。情報特定部４０８は、縮尺の大きさに応じた優先順位に基づいて、ＰＯＩに関連付けられた国名、都市名、施設名、または道路名もしくはユーザにより予め登録されたランドマーク名を特定してもよい。
【００４６】
道路に関する情報５０６は、領域に含まれる予め定められた条件を満たす一本の道路の方位または交差点の情報を含む。予め定められた条件は、領域内を道路が占める割合が予め定められた閾値以上であるか否かであってよい。予め定められた条件は、道路が、領域を等分することで画定された複数のサブ領域のうち少なくとも２つのサブ領域を通過するか否かをであってよい。予め定められた条件は、道路が、矩形の領域が４つに等分されることで画定された４つのサブ領域のうち、少なくとも２つのサブ領域を通過するか否かであってよい。予め定められた条件は、道路が、県道または国道であるか否かであってよい。点字特定部４１０は、第１情報が道路に関する情報５０６である場合、第１情報に含まれる道路の方位または交差点に予め定められた条件に従って対応付けられた点字を第１点字として特定する。点字特定部４１０は、南北、東西、南西から北東、または北西から南東に横断する道路、もしくは交差点のそれぞれに対応付けられた点字を第１点字として特定してよい。
【００４７】
複数の点字出力部２０２は、一列に配置される。複数の点字出力部２０２は、点字の文章を横書きで出力する態様で一列に配置されてよい。情報特定部４０８は、地図データ５０２を参照して、第１地点から第１縮尺に応じた予め定められた距離だけ第１方向に離れた第２地点を含む第１縮尺に応じた大きさの第２領域に関連する第２情報を特定する。点字特定部４１０は、第２情報に対応する第２点字を予め定められた条件に基づいて特定する。点字出力制御部４１６は、点字出力部２０２のうち、第１点字出力部の一方の側に配置され、第２地点に対応付けられた第２点字出力部に第２点字を出力させる。例えば、情報特定部４０８は、地図データ５０２を参照して、第１地点から第１縮尺に応じた予め定められた距離だけ東方向に離れた第２地点を含む第１縮尺に応じた大きさの第２領域に関連する第２情報としてランドマーク名を特定してよい。点字特定部４１０は、ランドマーク名である第２情報に対応する第２点字を予め定められた条件に基づいて特定してよい。点字出力制御部４１６は、点字出力部２０２のうち、中央に配置された点字出力部２０２の右側に配置され、第２地点に対応付けられた点字出力部２０２に第２点字を出力させてよい。
【００４８】
情報特定部４０８は、地図データ５０２を参照して、第１地点から第１縮尺に応じた予め定められた距離だけ第２方向に離れた第３地点を含む第１縮尺に応じた大きさの第３領域に関連する第３情報を特定する。点字特定部４１０は、第３情報に対応する第３点字を予め定められた条件に基づいて特定する。点字出力制御部４１６は、複数の点字出力部２０２のうち、第１点字出力部の他方の側に配置され、第３地点に対応付けられた第３点字出力部に第３点字を出力させる。例えば、情報特定部４０８は、地図データ５０２を参照して、第１地点から第１縮尺に応じた予め定められた距離だけ西方向に離れた第３地点を含む第１縮尺に応じた大きさの第３領域に関連する第３情報として他のランドマーク名を特定してよい。点字特定部４１０は、他のランドマーク名である第３情報に対応する第３点字を予め定められた条件に基づいて特定してよい。点字出力制御部４１６は、複数の点字出力部２０２のうち、中央に配置された点字出力部２０２の左側に配置され、第３地点に対応付けられた点字出力部２０２に第３点字を出力させてよい。
【００４９】
移動指示受付部４０６は、第１地点を第１方向または第１方向とは異なる第２方向に沿って第１縮尺に応じた予め定められた距離だけ移動させる移動指示を受け付ける。移動指示受付部４０６は、キー入力部１００の入力に応じて、第１地点を東西南北方向の何れか一方向に沿って第１縮尺に応じた予め定められた距離だけ移動させる移動指示を受け付けてよい。情報特定部４０８は、移動指示受付部４０６が移動指示を受け付けることに対応して、地図データを参照して、移動後の第１地点を含む第１縮尺に応じた大きさの新たな第１領域に関連する新たな第１情報を特定する。点字特定部４１０は、新たな第１情報に対応する新たな第１点字を予め定められた条件に基づいて特定する。点字出力制御部４１６は、第１点字出力部に新たな第１点字を出力させる。
【００５０】
一実施形態の点字出力装置１によれば、縮尺に応じた大きさの領域に関連する情報を音声で出力することで地図に関連する情報を視覚障害者にも理解しやすい形態で提供できる。一実施形態の点字出力装置１によれば、地図上の対象に関する地理的な位置関係をユーザにとって把握しやすい態様で提供できる。
【００５１】
図３Ａは、領域に関連する情報に対応する点字と、当該点字を特定するための予め定められた条件との対応関係を示す図である。図３Ａに示される点字は、例えばルート検索に用いられる情報に対応付けられる。メモリ部５００は、領域に関連する情報に対応する点字と、当該点字を特定するための予め定められた条件との対応関係を示す情報を点字データ５１２として格納してよい。
【００５２】
領域に関連する情報に対応する点字は、３の点及び６の点を表記する点字、平仮名の「も」を表す点字、平仮名の「す」を表す点字、及び平仮名の「つ」を表す点字を含む。点字を特定するための予め定められた条件は、現在地、目的地、出発地、及び通過地点を含んでよい。
【００５３】
３の点及び６の点を表記する点字には、当該領域が、現在地または指定の地点であるという条件が割り当てられる。平仮名の「も」を表す点字には、当該領域が、ルートの目的地であるという条件が割り当てられる。平仮名の「す」を表す点字には、当該領域が、ルートの出発地であるという条件が割り当てられる。平仮名の「つ」を表す点字には、当該領域が、ルートの通過地点であるという条件が割り当てられる。
【００５４】
図３Ｂは、領域に関連する情報に対応する点字と、当該点字を特定するための予め定められた条件との対応関係を示す図である。図３Ｂに示される点字は、例えば地図上の施設または地名を表す情報に対応付けられる。
【００５５】
領域に関連する情報に対応する点字は、平仮名の「む」を表す点字、平仮名の「ま」を表す点字、平仮名の「せ」を表す点字、及び平仮名の「へ」を表す点字を含む。領域に関連する情報に対応する点字を特定するための予め定められた条件は、当該領域に施設または地名が複数あること、当該領域に施設または地名が１つあること、第１地点に施設または地名が１つあること、及び第１地点に施設または地名が複数あることを含む。
【００５６】
図３Ｃは、領域に関連する情報に対応する点字と、当該点字を特定するための予め定められた条件との対応関係を示す図である。図３Ｃに示される点字は、例えば地図上の施設または地名を表す情報に対応付けられる。
【００５７】
領域に関連する情報に対応する点字は、１の点及び２の点を表記する点字、１の点及び４の点を表記する点字、２の点及び４の点を表記する点字、１の点及び５の点を表記する点字、１の点、２の点、４の点、及び５の点を表記する点字を含む。領域に関連する情報に対応する点字は、１の点、２の点及び４の点を表記する点字、１の点、２の点及び５の点を表記する点字、１の点、４の点及び５の点を表記する点字、並びに２の点、４の点及び５の点を表記する点字を含む。
【００５８】
領域に関連する情報に対応する点字を特定するための予め定められた条件は、当該領域に含まれる道路が特定の方位に伸びていること、当該領域に含まれる道路上に交差点がある、もしくは道路が複数あり、かつ、方位が同一でないこと、当該領域内の１つの道路が、直進方向のルートと右折地点または左折地点を介して曲がったルートとを含むことを含む。道路の特定の方位は、南北方向、東西方向、南西から北東方向、または北西から南東方向であってよい。道路の特定の方位は、出発地から目的地までのルートの進行方向であってよい。
【００５９】
１の点及び２の点を表記する点字には、領域に含まれる道路が南北方向に伸びているという条件、もしくは、領域内のルートの進行方向が北方向または南方向であるという条件が割り当てられる。１の点及び４の点を表記する点字には、領域に含まれる道路が東西方向に伸びているという条件、もしくは、領域内のルートの進行方向が東方向または西方向であるという条件が割り当てられる。２の点及び４の点を表記する点字には、領域に含まれる道路が南西から北東方向に延びているという条件、もしくは、領域内のルートの進行方向が南西方向または北東方向であるという条件が割り当てられる。１の点及び５の点を表記する点字には、領域に含まれる道路が北西から南東方向に延びているという条件、もしくは、領域内のルートの進行方向が北西方向または南東方向であるという条件が割り当てられる。１の点、２の点、４の点、及び５の点を表記する点字には、領域に含まれる道路上に交差点がある、または、道路が複数あり、かつ、方位が同一でないという条件が割り当てられる。領域内の道路が、ＧＰＳによって取得された現在地、または、ユーザによって指定された現在地である場合、現在地であるという条件が割り当てられた３の点及び６の点を表記する点字が、それぞれの点字に組み合わせられてよい。
【００６０】
１の点、２の点及び４の点を表記する点字には、領域に含まれる道路上のルートの進行方向が、北へ向かい、右折して東へ向かう方向であるという条件が割り当てられる。１の点、２の点及び５の点を表記する点字には、領域内のルートの進行方向が、南へ向かい、左折して東へ向かう方向であるという条件が割り当てられる。１の点、４の点及び５の点を表記する点字には、領域内のルートの進行方向が、北へ向かい、左折して西へ向かう方向であるという条件が割り当てられる。２の点、４の点及び５の点を表記する点字には、領域内のルートの進行方向が、南へ向かい、右折して西へ向かう方向であるという条件が割り当てられる。領域内の道路が、ＧＰＳによって取得された現在地、または、ユーザによって指定された現在地である場合、現在地であるという条件が割り当てられた３の点及び６の点を表記する点字が、それぞれの点字に組み合わせられてよい。
【００６１】
例えば、道路に関する情報５０６が、領域に含まれる一本の道路の方位の情報として、南北方向を含む場合、点字特定部４１０は、領域に関連する情報に対応する点字（１−２）を特定してよい。点字出力制御部４１６は、複数の点字出力部２０２のうち、地図上の地点に対応付けられた点字出力部２０２に点字（１−２）を出力させてよい。領域に含まれる一本の道路の方位が南北方向であり、当該領域が現在地であるという情報を、道路に関する情報５０６が含む場合、点字特定部４１０は、領域に関連する情報に対応する点字（１−２−３−６）を特定してよい。点字出力制御部４１６は、複数の点字出力部２０２のうち、地図上の地点に対応付けられた点字出力部２０２に点字（１−２−３−６）を出力させてよい。
【００６２】
図４Ａから図４Ｃは、領域８００に含まれる道路の方位を点字ディスプレイ２００に表示するか否かを決定する手法を説明するための図である。１つの点字出力部２０２に対応する縮尺の大きさの領域８００は、矩形の領域であり、４つの辺８０１、辺８０２、辺８０３、及び辺８０４によって画定されている。１つの点字出力部２０２に対応する縮尺の大きさの領域８００は、４つのサブ領域８００−１、サブ領域８００−２、サブ領域８００−３、及びサブ領域８００−４を含む。領域８００は、４つのサブ領域８００−１、サブ領域８００−２、サブ領域８００−３、及びサブ領域８００−４に等分される。領域８００は、例えば、領域８００の４つの辺８０１、辺８０２、辺８０３、及び辺８０４のうち、互いに対向する２辺のそれぞれの中点を結ぶ線によって、４つのサブ領域８００−１、サブ領域８００−２、サブ領域８００−３、及びサブ領域８００−４に分割される。
【００６３】
図４Ａは、道路の方位が点字ディスプレイ２００に表示される例を示す。制御部４００は、１つの点字出力部２０２に対応する縮尺の大きさの領域８００を通る道路の中心線８１０と、領域８００の辺８０１との交点８１２、及び道路の中心線８１０と、辺８０１に対向する辺８０３との交点８１４を特定する。制御部４００は、４つのサブ領域８００−１、サブ領域８００−２、サブ領域８００−３、及びサブ領域８００−４のうち、交点８１２及び８１４を結ぶ直線８１６が通るサブ領域の数に基づいて、領域８００に含まれる道路の方位を点字ディスプレイ２００に表示するか否かを決定する。制御部４００は、直線８１６が通るサブ領域の数が複数であるか１つであるかに基づいて領域８００に含まれる道路の方位を点字ディスプレイ２００に表示するか否かを決定してよい。制御部４００は、直線８１６が通るサブ領域の数が複数である場合、領域８００に含まれる道路の方位を点字ディスプレイ２００に表示すると決定してよい。制御部４００は、直線８１６が通るサブ領域の数が１つである場合、領域８００に含まれる道路の方位を点字ディスプレイ２００に表示しないと決定してよい。図４Ａに示す例では、直線８１６が、３つのサブ領域８００−２、サブ領域８００−４、及びサブ領域８００−３を通過している。この場合、制御部４００は、領域８００に含まれる道路の方位を点字ディスプレイ２００に表示すると決定する。
【００６４】
図４Ｂは、道路の方位が点字ディスプレイ２００に表示されない例を示す。図４Ｂに示す道路の中心線８１０は、サブ領域８００−２のみに存在しており、辺８０１との交点８１２、及び辺８０１に交差する辺８０２との交点８１４を有する。制御部４００は、交点８１２、及び交点８１４を結ぶ直線８１６がサブ領域８００−２のみを通過していると判定する。次に、制御部４００は、領域８００に含まれる道路の方位を点字ディスプレイ２００に表示しないと決定する。
【００６５】
図４Ｃは、道路の方位が点字ディスプレイ２００に表示されない例を示す。図４Ｃに示す道路の中心線８１０は、複数のサブ領域８００−１、サブ領域８００−２、及びサブ領域８００−４に亘って存在する。しかしながら、道路の中心線８１０と領域８００の各辺との交点は、図４Ｂに示す例と同様に、辺８０１及び辺８０２上に存在する。この場合、制御部４００は、交点８１２、及び交点８１４を結ぶ直線８１６がサブ領域８００−２のみを通過していると判定する。次に、制御部４００は、領域８００に含まれる道路の方位を点字ディスプレイ２００に表示しないと決定する。このように、道路が、複数のサブ領域にまたがって湾曲していても、その湾曲自体は、道路の方位を判定する対象とはならない。
【００６６】
一実施形態によれば、交点８１２、及び交点８１４を結ぶ直線８１６が通過するサブ領域の数に基づいて、道路の方位を点字ディスプレイ２００に表示するか否かを決定することで、例えば、点字ディスプレイ２００に表示する道路の方位情報を間引くことができる。一実施形態では、道路の中心線８１０の代わりに、道路の外郭側の線、または、直線道路、及びＳ字型道路など、領域８００内の道路の形状を表す線を用いてよい。制御部４００は、１つの点字出力部２０２に対応する縮尺の大きさの領域８００を通る道路の方位を点字ディスプレイ２００に表示すると決定した場合、点字ディスプレイ２００に表示する道路の方位を決定する。
【００６７】
図４Ｄ及び図４Ｅは、点字ディスプレイ２００に表示される道路の方位を決定する手法を説明するための図である。制御部４００は、道路の方位を決定するべく、例えば、真北を０°として規定する。０°は、北の方角の基準となる角度、すなわち方位角である。制御部４００は、真北から時計回りに４５°の間隔で北東、東、南東、南、南西、及び北西を規定する。４５°の間隔の角度、すなわち、４５°、９０°、１３５°、１８０°、２２５°、２７０°、３１５°の角度は、それぞれ、北東の方角、東の方角、南東の方角、南の方角、南西の方角、及び北西の方角の基準となる角度である。各方角は、それぞれの基準となる角度を中心に−２２．５°から＋２２．５°の範囲を含む。制御部４００は、基準となる方位である真北の方位に沿った基準線と直線８１６との間の角度を示す直線８１６の方位角に基づいて道路の方位を決定する。
【００６８】
図４Ｄに示される例において、制御部４００は、真北の方位に沿った基準線と直線８１６との間の角度を示す直線８１６の方位角を算出する。制御部４００は、直線８１６の方位角が角度０°から＋２２．５°の範囲に含まれると判定する。この場合、制御部４００は、さらに、直線８１６の方位角が南の方角の基準となる角度１８０°から−２２．５°の範囲に含まれると判定してよい。判定の結果、制御部４００は、領域８００に対応する点字出力部２０２に出力する道路の方位が南北方向であると決定してよい。
【００６９】
図４Ｅに示される例において、制御部４００は、直線８１６の方位角が東の方角の基準となる角度９０°から＋２２．５°の範囲に含まれると判定する。この場合、制御部４００は、さらに、直線８１６の方位角が西の方角の基準となる角度２７０°から−２２．５°の範囲に含まれると判定してよい。判定の結果、制御部４００は、領域８００に対応する点字出力部２０２に出力する道路の方位が東西方向であると決定してよい。
【００７０】
東西方向に隣接する複数の領域にまたがって、道路が南西から北東方向、または東南から北西方向に延びる場合、制御部４００は、複数の領域のうち、より長い距離を横断する道路を含む領域を選択し、選択した領域内の道路の方位を、対応する点字出力部２０２に出力する道路の方位として決定してよい。
【００７１】
図５は、地図上の道路及び施設・地名を含む点字マップ上に複数の点字出力部２０２を重ねあわせたイメージを示す図である。点字マップは、複数の点字出力部２０２をのぞき窓にして地図を見るようなイメージを表す。図５に示される点字マップ内のメッシュ状の複数のマス目は、複数の点字出力部２０２のそれぞれを概念的に表す。メッシュ状の複数のマス目のうち、白抜きされた一行のマス目に示されるドットの模様は、複数の点字出力部２０２に出力されている点字を概念的に表す。メッシュ状の複数のマス目の１マスの範囲は、縮尺に応じた大きさの領域に対応する。一例される領域において、メッシュ状の複数のマス目のそれぞれの範囲は、３０ｍに対応する。
【００７２】
図５に示す複数の点字出力部２０２のうち、左から１マス目の点字出力部２０２−３には、道路が南西から北東方向に延びることを示す点字が出力されている。複数の点字出力部２０２のうち、左から５マス目の点字出力部には、道路が南西から北東方向に延びることを示す点字が出力されている。複数の点字出力部２０２のうち左から６マス目と７マス目の点字出力部には、道路が北西から南東方向に延びることを示す点字が出力されている。地図上の１つの道路幅が、当該道路の位置に対応する１つの点字出力部２０２に対応付けられた縮尺の値より大きい場合、点字出力装置１は、１つの道路の方位を複数の点字出力部２０２のうちの互いに隣接する点字出力部に出力してよい。１つの点字出力部２０２に対応する縮尺の大きさの領域に占める道路の割合に応じて、制御部４００は、当該点字出力部２０２に点字を出力するか否かを決定してよい。出力する方位は、１つのマス目に隣接するマス目に出力する方位と同じであってよい。出力する方位は、１つのマス目に対応する地図上の道路の実際の方位と異なっていてよい。点字出力装置１を利用するユーザは、１つの道路がどこから来てどこへ向かうのかを全体的なイメージとして把握することが可能となる。
【００７３】
複数の点字出力部２０２のうち左から８マス目の点字出力部２０２−１には、該当の領域に施設または地名が１つあることを示す点字が出力されている。複数の点字出力部２０２のうち左から１１マス目の点字出力部２０２−２には、該当の領域に交差点があることを示す点字が出力されている。点字出力装置１のユーザは、例えば、施設の西側１８０ｍから２１０ｍの範囲に道路があること、施設から西側９０ｍの範囲内に、道路が２つあること、施設の東側９０ｍ先に交差点があることを把握できる。点字出力装置１のユーザは、５マス目、６マス目、及び７マス目の領域に２つの道路が存在すること、及びそれらの道路がどの方角からどの方角に向かっているかを把握できる。一実施形態の点字出力装置１によれば、施設または地名と、道路との位置関係を点字出力装置１のユーザが直感的に把握しやすい地図サービスをユーザに提供できる。複数の点字出力部２０２のうち左から８マス目に対応するタッチカーソル１３２が押下された場合、点字出力装置１は、音声出力部３００を介して複数の施設名または地名のうちの１つの施設名または地名を音声で出力させてよい。タッチカーソル１３２が繰り返し押下されることで、点字出力装置１は、複数の施設名または地名を、音声出力部３００を介して順次音声で出力させてよい。
【００７４】
図６は、地図上の道路のみを含む点字マップ上に複数の点字出力部２０２を重ねあわせたイメージを示す図である。図６に示す点字マップは、地図上の道路の方位を示す点字のみが出力される点で図５に示す点字マップと異なる。図６に示す点字マップ内の道路の配置は、図５に示す点字マップ内の道路の配置と同じである。図６に示す点字マップは、例えば、複数の出力モードのうち、地図上の道路のみを出力するモードが実行されているときに、複数の点字出力部２０２に出力される。複数の点字出力部２０２の１マスの範囲が１００ｍ以下の地図上の縮尺に設定されている場合、点字出力装置１は、道路のみを出力するモードを有効にしてよい。
【００７５】
点字出力装置１のユーザは、複数の点字出力部２０２のうち、左から５マス目、６マス目、及び７マス目の領域に２つの道路が存在すること及びそれらの道路の方位を把握できる。さらに、上スクロールキー１２８が押下された場合、点字出力装置１は、複数の点字出力部２０２において現在の出力の対象とされている領域から北方向に、予め定められた距離として１マス分移動させた領域に関連する情報を複数の点字出力部２０２に点字で出力させる。ここで、この場合、複数の点字出力部２０２のうち、左から６マス目には、交差点を示す点字が出力される。点字出力装置１のユーザは、５マス目、６マス目、及び７マス目の領域に存在していた２つの道路が、北側３０ｍの付近で交差していることを把握することができる。一実施形態の点字出力装置１によれば、地図上の道路の位置関係を点字出力装置１のユーザが直感的に把握しやすい地図サービスをユーザに提供できる。
【００７６】
図７は、地図上の施設・地名のみを含む点字マップ上に複数の点字出力部２０２を重ねあわせたイメージを示す図である。図７に示す点字マップは、地図上の施設・地名を示す点字のみが出力される点で図５に示す点字マップと異なる。図７に示す点字マップ内の地図上の施設・地名を示す点字の配置は、図５に示す点字マップ内の地図上の施設・地名を示す点字の配置と同じである。図７に示す点字マップは、例えば、複数の出力モードのうち、地図上の施設・地名のみを出力するモードが実行されているときに、複数の点字出力部２０２に出力される。
【００７７】
複数の点字出力部２０２のうち左から８マス目の点字出力部２０２−１には、該当の領域に施設または地名が複数あることを示す点字が出力されている。下スクロールキー１３０が押下された場合、点字出力装置１は、複数の点字出力部２０２において現在の出力の対象とされている領域から南方向に、予め定められた距離として１マス分移動させた領域に関連する情報を複数の点字出力部２０２に点字で出力させる。図７に示す点字マップの例では、複数の点字出力部２０２のうち左から１４マス目に、該当の領域に施設または地名が１つあることを示す点字が出力される。この場合、点字出力装置１のユーザは、例えば、複数の点字出力部２０２の左から８マス目に存在していた施設から東側に１８０ｍ、南側に３０ｍの付近に新たな施設が１つ存在することを把握できる。下スクロールキー１３０がさらに押下された場合、点字出力装置１は、複数の点字出力部２０２において現在の出力の対象とされている領域から南方向にさらに、予め定められた距離として１マス分移動させた領域に関連する情報を複数の点字出力部２０２に点字で出力させる。図７に示す点字マップの例では、複数の点字出力部２０２のうち左から２マス目に、施設または地名が１つあることを示す点字が出力される。この場合、点字出力装置１のユーザは、例えば、８マス目の領域に存在していた施設から西側に１８０ｍ、南側に６０ｍの付近に新たな施設が１つ存在することを把握できる。一実施形態の点字出力装置１によれば、地図上の施設間の位置関係を点字出力装置１のユーザが直感的に把握しやすい地図サービスをユーザに提供できる。
【００７８】
図８Ａは、地図上のルートを示す情報を含む点字マップを示す図である。点字出力装置１は、出発地から目的地までのルートに関連する情報を点字ディスプレイ２００に点字で出力するルートビューモードを実行する機能を有する。制御部４００は、ユーザにより選択された出発地、通過地点、及び目的地に関する情報をメモリ部５００に格納してよい。ルートビューモードが有効にされると、制御部４００は、出発地から目的地までのルートに関連する点字を点字ディスプレイ２００に出力する。図８Ａに示す点字マップには、出発地を表す点字２２０、通過地点を表す点字２２２、目的地を表す点字２２４が示されている。さらに、図８Ａに示す点字マップには、出発地から目的地までのルート上の道路の方位に関連する点字、及び、ルート上の施設を示す点字が示されている。ルートビューモードにおいて、制御部４００は、出発地から目的地までのルート上にない道路の方位に関する点字を点字ディスプレイ２００に出力しなくてよい。これにより、ユーザがルート外の道路をルート上の道路であると誤認識することを防止できる。また、制御部４００は、ルート上の施設を示す点字に加えて、ルート外の施設を示す点字を点字ディスプレイ２００に出力してもよい。施設は、ユーザにより予めルートビューモードで点字として出力する対象として、登録されている施設でよい。ルート外の施設を示す点字も点字ディスプレイ２００に出力することで、ルート上の道路または施設と、ルート外の施設との相対的な位置関係をユーザは直感的に把握できる。
【００７９】
図８Ｂは、地図上のルートの出発地周辺の領域を含む点字マップ上に点字ディスプレイ２００を重ねあわせたイメージを示す図である。制御部４００は、複数の点字出力部２０２のうち中央に配置される点字出力部２０２に、出発地を表す点字２２０を出力してよい。出発地を含む領域は、図８Ｂに示す点字マップ上の道路を含む。制御部４００は、道路に関連する情報を示す点字よりも出発地を表す点字２２０を優先的に点字出力部２０２に出力してよい。制御部４００は、領域に関連する情報として、点字マップ上のＰＯＩに関連する情報よりもルート検索結果に関連する情報を優先的に点字出力部２０２に出力してよい。さらに、ルート検索結果に関連する情報が、目的地、出発地、通過地点、現在地、交差点、道路、及び施設を含む場合、制御部４００は、優先度の高い方から、目的地、出発地、通過地点、現在地、交差点、道路、及び施設の順で優先度を設定してよい。
【００８０】
制御部４００は、複数の点字出力部２０２のうち中央に配置される点字出力部２０２に、出発地を表す点字２２０を出力してよい。中央に配置される点字出力部２０２の西側に配置される点字出力部２０２には、出発地から目的地へ向かうルートに関連する情報として「西へ向かうルート」を示す点字が出力されている。
【００８１】
ルートに関連する情報を出力している点字出力部２０２に対応するタッチカーソル１３２が押下された場合、制御部４００の音声出力制御部４１２は、点字出力部２０２に対応する領域におけるルートの進行方向を音声出力部３００に音声で出力させてよい。例えば、中央に配置される点字出力部２０２の西側に隣接して配置される点字出力部２０２に対応するタッチカーソル１３２が押下された場合、音声出力制御部４１２は、「西へ向かうルート」という音声を音声出力部３００に出力させてよい。なお、図８Ｂに示す点字ディスプレイ２００に出力される地図上の領域を北へ１マス移動させた場合、点字ディスプレイ２００の左から１番目と２番目の点字出力部２０２には、「北西へ向かうルート」を示す情報に対応する点字が出力される。左から１番目または２番目の点字出力部２０２に対応するタッチカーソル１３２が押下された場合、音声出力制御部４１２は、「北西へ向かうルート」という音声を音声出力部３００に出力させてよい。
【００８２】
図８Ｃは、地図上のルートの通過地点周辺の領域を含む点字マップ上に点字ディスプレイ２００を重ねあわせたイメージを示す図である。図８Ｃに示す点字ディスプレイ２００に出力される点字マップは、図８Ｂに示す点字ディスプレイ２００に出力されていた点字マップから北に３マス、西に９マス移動した領域を表す。
【００８３】
制御部４００は、ＧＰＳにより取得した現在地、または、ユーザにより現在地として選択された地点を、複数の点字出力部２０２のうちの中央に配置された点字出力部２０２−１に点字で出力してよい。図８Ｃに示す現在地に対応する領域には、道路に関連する情報として交差点が含まれている。制御部４００の点字出力制御部４１６は、予め設定された優先度に従って、交差点を示す点字ではなく、現在地を表す点字を点字出力部２０２−１に出力させてよい。
【００８４】
図８Ｃに示す点字ディスプレイ２００に出力されている地図上の領域を北へ１マス移動させた場合、中央に配置された点字出力部２０２には、「北東へ向かうルート」を示す点字が出力される。中央に配置された点字出力部２０２に対応するタッチカーソル１３２が押下された場合、音声出力制御部４１２は、「北東へ向かうルート」という音声を音声出力部３００に出力させてよい。図８Ｃに示す点字ディスプレイ２００に出力されている地図上の領域を北へ２マス移動させた場合、中央に配置された点字出力部２０２及び東側に隣接する点字出力部２０２には、「北東へ向かうルート」を示す情報に対応する点字が出力される。中央に配置された点字出力部２０２または東側に隣接する点字出力部２０２に対応するタッチカーソル１３２が押下された場合、音声出力制御部４１２は、「北東へ向かうルート」という音声を音声出力部３００に出力させてよい。さらに、中央に配置された点字出力部２０２の３マス分東側に配置された点字出力部２０２には、「南西へ向かうルート」を示す点字が出力される。当該点字出力部２０２に対応するタッチカーソル１３２が押下された場合、音声出力制御部４１２は、「南西へ向かうルート」という音声を音声出力部３００に出力させてよい。図８Ｃに示す点字マップにおいて、当該点字出力部２０２に出力される点字と、当該点字出力部２０２に対応するよう領域から南へ５マス移動した領域内の道路に関連する情報を示す点字とは、同じ点字である。音声出力制御部４１２は、ルートの進行方向に基づいて、南へ５マス移動した領域内の道路に関連する情報として、「北東へ向かう」という音声を音声出力部３００に出力させてよい。このように、音声出力制御部４１２は、ルートビューモードにおいて、道路に関する情報を示す点字を出力する点字出力部２０２に対応するタッチカーソル１３２が押下された場合、ルートの進行方向に対応する音声を、道路に関する情報として音声出力部３００に出力させてよい。
【００８５】
図８Ｄは、地図上のルートの目的地周辺の領域を含む点字マップ上に点字ディスプレイ２００を重ねあわせたイメージを示す図である。制御部４００は、ＧＰＳにより取得した現在地、または、ユーザにより選択された現在地を表す点字を、複数の点字出力部２０２のうちの中央に配置された点字出力部２０２に出力してよい。中央に配置された点字出力部２０２の東側に隣接する点字出力部２０２には、目的地を表す点字２２４が出力される。目的地を表す点字２２４を出力する点字出力部２０２に対応するタッチカーソル１３２が押下されると、音声出力制御部４１２は、「目的地」という音声を音声出力部３００に出力させてよい。ユーザは、キー入力部１００を操作して、点字ディスプレイ２００に出力される地図上の領域を東西方向及び南北方向に移動させながら、出発地から目的地までのルートのイメージを把握することができる。
【００８６】
本実施形態によれば、点字出力装置１は、出発地を表す２２０、目的地を表す点字２２４及びルート上の道路に関する情報を示す点字を点字ディスプレイ２００に出力することで、出発地から目的地までのルートの進行方向を触覚的にユーザに伝えることができる。点字出力装置１は、道路に関する情報を示す点字に対応する音声として、ルートの進行方向に対応する道路の向かう方向を示す音声で出力することで、ルートの進行方向を聴覚的にユーザに伝えることができる。そのため、本実施形態によれば、ユーザがルートのイメージを形成することを支援することができる。
【００８７】
図９は、日本地図上に複数の点字出力部２０２を重ねあわせたイメージを示す図である。図９に示される日本地図は、例えば、図５〜図７に示される点字マップの１マスの範囲を大きくした状態を表す。
【００８８】
点字出力装置１の情報特定部４０８は、図５及び図７に示される点字マップで示される点字出力部２０２−１の地点を含む新たな縮尺に応じた大きさの領域に関連する新たな情報として、都道府県を特定してよい。１つの点字出力部２０２に対応する縮尺の大きさの領域に都道府県のそれぞれに関連するＰＯＩが含まれる場合、点字出力装置１の情報特定部４０８は、複数のＰＯＩをそれぞれ新たな情報として特定してよい。
【００８９】
点字出力制御部４１６は、特定した点字を点字出力部２０２−１に出力させてよい。点字出力制御部４１６は、該当の領域に施設または地名が１つあることを示す平仮名の「ま」を表す点字を点字出力部２０２−１に出力させてよい。点字出力部２０２−１に出力される点字は、縮尺に応じた大きさの領域が複数の県にまたがっていることを表している。図９に示す点字出力部２０２−１に対応するタッチカーソル１３２が繰り返し押下されることにより、音声出力制御部４１２は、当該地点にある施設名ではなく、縮尺に応じた大きさの領域に含まれる都道府県の名称を１つずつ音声出力部３００に音声で出力させてよい。
【００９０】
図１０は、世界地図上に点字出力部を重ねあわせたイメージを示す図である。図１０は、例えば、図５〜図７に示される点字マップの１マスの範囲の大きくした状態を表す。
【００９１】
点字出力装置１の情報特定部４０８は、図５及び図７に示される点字マップで示される点字出力部２０２−１の地点を含む新たな縮尺に応じた大きさの領域に関連する新たな情報として、国を特定してよい。点字特定部４１０は、新たな情報に対応する点字を特定してよい。点字出力制御部４１６は、特定した点字を点字出力部２０２−１に出力させてよい。点字出力制御部４１６は、該当の領域に施設または地名が１つあることを示す平仮名の「ま」を表す点字を点字出力部２０２−１に出力させてよい。点字出力部２０２−１に出力される点字は、縮尺に応じた大きさの領域が複数の国にまたがっていることを表している。図１０に示す点字出力部２０２−１に対応するタッチカーソル１３２が押下されるたびに、音声出力制御部４１２は、当該地点にある施設名ではなく、縮尺に応じた大きさの領域に含まれる国の名称を１つずつ音声出力部３００に音声で出力させてよい。
【００９２】
図１１は、点字マップを出力する手順の一例を示すフローチャートである。縮尺受付部４０２は、地図の縮尺を示す第１縮尺を受け付ける（Ｓ１００）。地点受付部４０４は、地図上の第１地点を受け付ける（Ｓ１０２）。情報特定部４０８は、地図上のそれぞれの地点を含む縮尺に応じた大きさの領域に関連する情報を示す地図データを参照して、第１地点を含む第１縮尺に応じた大きさの第１領域に関連する第１情報を特定する（Ｓ１０４）。領域に関連する情報は、領域に含まれる道路に関する情報、または施設もしくは地名に関する情報を含んでよい。領域に関連する情報は、縮尺が第１縮尺範囲に含まれる場合、領域に含まれる道路に関する情報、または施設もしくは地名に関する情報を含んでよい。領域に関連する情報は、縮尺が第１縮尺範囲より縮尺が大きい第２縮尺範囲に含まれる場合、領域に含まれる施設もしくは地名に関する情報を含んでよい。道路に関する情報は、領域に含まれる予め定められた条件を満たす一本の道路の方位または交差点の情報を含んでよい。
【００９３】
情報特定部４０８は、第１地点から、第１方向及び第２方向のそれぞれの方向に縮尺に応じた距離分ずつ離れたそれぞれの地点を含む縮尺に応じた大きさのそれぞれの領域に関連する情報を特定する（Ｓ１０６）。点字特定部４１０は、それぞれの領域に関連する情報に対応する点字を予め定められた条件に基づいて特定する（Ｓ１０８）。点字出力制御部４１６は、複数の点字出力部２０２のうち、それぞれの地点に対応付けられた点字出力部にそれぞれの点字を出力する（Ｓ１１０）。
【００９４】
選択受付部４１４は、タッチカーソル１３２を介して複数の点字出力部２０２のうちの何れかが選択されたか否かを判定する（Ｓ１１２）。情報特定部４０８は、タッチカーソル１３２の選択された部分に対応付けられた点字出力部に出力されている点字に対応する情報を特定する（Ｓ１１４）。音声出力制御部４１２は、特定された情報を音声出力部３００に音声で出力させる（Ｓ１１６）。
【００９５】
移動指示受付部４０６は、第１地点の移動指示を受け付けたか否かを判定する（Ｓ１１８）。移動指示受付部４０６が第１地点の移動指示を受け付けたと判定した場合、Ｓ１０４を実行する。Ｓ１０４において、情報特定部４０８は、移動指示受付部４０６が移動指示を受け付けることに対応して、地図データを参照して、移動後の第１地点を含む第１縮尺に応じた大きさの新たな第１領域に関連する新たな第１情報を特定してよい。Ｓ１０８において、点字特定部４１０は、新たな第１情報に対応する新たな第１点字を予め定められた条件に基づいて特定してよい。Ｓ１１０において、点字出力制御部４１６は、新たな第１領域に関連する点字出力部に新たな第１点字を出力させてよい。
【００９６】
縮尺受付部４０２は、縮尺の変更を受け付けたか否かを判定する（Ｓ１２０）。縮尺受付部４０２が縮尺の変更を受け付けたと判定した場合、Ｓ１０２を実行する。Ｓ１０２において、情報特定部４０８は、地図データを参照して、縮尺が変更される前の第１地点を含む変更後の第１縮尺に応じた大きさの新たな第１領域に関連する新たな第１情報を特定してよい。Ｓ１０８において、点字特定部４１０は、新たな第１情報に対応する新たな第１点字を予め定められた条件に基づいて特定してよい。Ｓ１１０において、点字出力制御部４１６は、新たな第１領域に関連付けられた点字出力部に新たな第１点字を出力させる縮尺受付部４０２が縮尺の変更を受け付けていないと判定した場合、処理を終了する。
【００９７】
点字出力装置１は、点字マップの出力機能を有する。点字マップの出力機能は、グローバルポジショニングシステム（ＧＰＳ）モード及び仮想モードにおいて有効にされる。第２ファンクションキー１２２が押下されることにより、点字出力装置１は、点字マップの出力機能の複数のメニューを複数の点字出力部２０２に一つずつ出力させるとともに、メニューの名称を音声出力部３００に音声で一つずつ出力させる。複数のメニューは、「点字マップの開始」、「読み上げ」、「移動」、「地点設定」、及び「表示」を含む。
【００９８】
「点字マップの開始」が選択された場合、点字出力装置１は、点字マップを起動させる。ショートカットキーとして、スペースキー１１８及びアルファベットの小文字「ｍ」を表す点字キーが同時に入力された場合に、点字出力装置１は点字マップを起動させてよい。
【００９９】
「読み上げ」が選択された場合、点字出力装置１は、ＧＰＳレーダを介して受信した現在位置の経度緯度を音声出力部３００に音声で出力させる。ショートカットキーとして、アルファベットの小文字「ｑ」を表す点字キーが入力された場合に、点字出力装置１は、ＧＰＳレーダを介して受信した現在位置の経度緯度を音声出力部３００に音声で出力させてよい。
【０１００】
「移動」が選択された場合、点字出力装置１は、複数の点字出力部２０２において現在の出力の対象とされている地図上の領域から予め定められた距離だけ移動させた領域に関連する情報を複数の点字出力部２０２に点字で出力させる。上スクロールキー１２８は、複数の点字出力部２０２において現在の出力の対象とされている地図上の領域から北へ１マス分移動させた地図上の領域に関連する情報を複数の点字出力部２０２に点字で出力させるためのショートカットキーである。スペースキー１１８及び上スクロールキー１２８の組み合わせは、複数の点字出力部２０２において現在の出力の対象とされている地図上の領域から北へ１０マス分移動させた地図上の領域に関連する情報を複数の点字出力部２０２に点字で出力させるためのショートカットキーである。点字表記の２の点、３の点、及び６の点の組み合わせは、複数の点字出力部２０２において現在の出力の対象とされている地図上の領域から北へ１００マス分移動させた地図上の領域に関連する情報を複数の点字出力部２０２に点字で出力させるためのショートカットキーである。１マスが地図上の領域の範囲として５０ｋｍ以上に設定されている場合に、スペースキー１１８及び上スクロールキー１２８の組み合わせのショートカットキー、または、２の点、３の点、及び６の点の組み合わせのショートカットキーが押下された場合、音声出力制御部４１２は、移動距離を音声出力部３００に音声で出力させてよい。
【０１０１】
下スクロールキー１３０は、複数の点字出力部２０２において現在の出力の対象とされている地図上の領域から南へ１マス分移動させた地図上の領域に関連する情報を複数の点字出力部２０２に点字で出力させるためのショートカットキーである。スペースキー１１８及び下スクロールキー１３０の組み合わせは、複数の点字出力部２０２において現在の出力の対象とされている地図上の領域から南へ１０マス分移動させた地図上の領域に関連する情報を複数の点字出力部２０２に点字で出力させるためのショートカットキーである。点字表記の３の点、５の点、及び６の点の組み合わせは、複数の点字出力部２０２において現在の出力の対象とされている地図上の領域から南へ１００マス分移動させた地図上の領域に関連する情報を複数の点字出力部２０２に点字で出力させるためのショートカットキーである。１マスが地図上の領域の範囲として５０ｋｍ以上に設定されている場合に、スペースキー１１８及び下スクロールキー１３０の組み合わせのショートカットキー、または、３の点、５の点、及び６の点の組み合わせのショートカットキーが押下された場合、音声出力制御部４１２は、移動距離を音声出力部３００に音声で出力させてよい。
【０１０２】
第１点字キー１０２は、複数の点字出力部２０２において現在の出力の対象とされている地図上の領域から西へ１マス分移動させた地図上の領域に関連する情報を複数の点字出力部２０２に点字で出力させるためのショートカットキーである。第２点字キー１０４は、複数の点字出力部２０２において現在の出力の対象とされている地図上の領域から西へ１０マス分移動させた地図上の領域に関連する情報を複数の点字出力部２０２に点字で出力させるためのショートカットキーである。第３点字キー１０６は、複数の点字出力部２０２において現在の出力の対象とされている地図上の領域から西へ１００マス分移動させた地図上の領域に関連する情報を複数の点字出力部２０２に点字で出力させるためのショートカットキーである。１マスが地図上の領域の範囲として５０ｋｍ以上に設定されている場合に、第２点字キー１０４のショートカットキー、または、第３点字キー１０６のショートカットキーが押下された場合、音声出力制御部４１２は、移動距離を音声出力部３００に音声で出力させてよい。
【０１０３】
第４点字キー１０８は、複数の点字出力部２０２において現在の出力の対象とされている地図上の領域から東へ１マス分移動させた地図上の領域に関連する情報を複数の点字出力部２０２に点字で出力させるためのショートカットキーである。第５点字キー１１０は、複数の点字出力部２０２において現在の出力の対象とされている地図上の領域から東へ１０マス分移動させた地図上の領域に関連する情報を複数の点字出力部２０２に点字で出力させるためのショートカットキーである。第６点字キー１１２は、複数の点字出力部２０２において現在の出力の対象とされている地図上の領域から東へ１００マス分移動させた地図上の領域に関連する情報を複数の点字出力部２０２に点字で出力させるためのショートカットキーである。１マスが地図上の領域の範囲として５０ｋｍ以上に設定されている場合に、第５点字キー１１０のショートカットキー、または、第６点字キー１１２のショートカットキーが押下された場合、音声出力制御部４１２は、移動距離を音声出力部３００に音声で出力させてよい。
【０１０４】
ショートカットキーとして、アルファベットの小文字「ｌ」を表す点字キーが押下された場合、点字出力装置１は、点字出力装置１に予め登録されているランドマークリスト内のランドマークに関する情報を複数の点字出力部２０２に点字で出力させるとともに、ランドマーク名を音声出力部３００に音声で出力させる。ランドマークに関する情報が複数の点字出力部２０２に点字で出力された状態でエンターキー１１６が押下された場合、点字出力装置１は、当該ランドマークを現在地とした領域に関連する情報を複数の点字出力部２０２に点字で出力させる。
【０１０５】
ショートカットキーとして、アルファベットの小文字「ｈ」を表す点字キーが押下された場合、点字出力装置１は、複数の点字出力部２０２に現在出力されている点字マップの位置を、ＧＰＳから取得した現在位置、または、ユーザにより仮想的に設定された地図上の位置に移動させる。ＧＰＳモードが有効にされている場合、制御部４００は、ＧＰＳレーダで取得した現在位置の情報に基づいて、例えば１０秒ごとの一定の間隔で点字出力部２０２に出力する現在位置及びその周辺の領域に関連する情報を更新してよい。
【０１０６】
ショートカットキーとして、アルファベットの小文字「ｒ」を表す点字キーが押下された場合、ユーザにより最後に選択された領域及びその周辺の領域の点字マップを複数の点字出力部２０２に出力させる。例えば、ユーザによって経時的に最後に押下されたタッチカーソル１３２に対応する点字出力部２０２に関連付けられた領域及びその周囲の領域を複数の点字出力部２０２に出力させる。制御部４００は、ユーザによって経時的に最後に押下されたタッチカーソル１３２に対応する点字出力部２０２に関連付けられていた領域に関連する情報を、中央に配置された点字出力部２０２に出力してよい。
【０１０７】
点字ディスプレイ２００に出発地、通過地点、目的地、またはユーザにより登録されたランドマークを示す点字が出力された状態で、ショートカットキーとして、アルファベットの小文字「ｓ」を表す点字キーが押下された場合、点字出力装置１は、出発地、通過地点、目的地、またはユーザにより登録されたランドマークを示す点字を、点字ディスプレイ２００の中央の点字出力部２０２に出力するように、点字の表示位置を移動させる。
【０１０８】
ショートカットキーとして、アルファベットの小文字「ｐ」を表す点字キーが押下された場合、点字出力装置１は、ユーザにより最後に選択された領域を現在地として設定する。
【０１０９】
ショートカットキーとして、アルファベットの小文字「ｊ」を表す点字キーが押下された場合、点字出力装置１は、点字ディスプレイ２００に出力される領域に含まれる一般道を示す情報をトグル形式で音声出力部３００に音声で出力させてよい。アルファベットの小文字「ｋ」を表す点字キーが押下された場合、点字出力装置１は、点字ディスプレイ２００に出力される領域に含まれる高速道路を示す情報をトグル形式で音声出力部３００に音声で出力させてよい。
【０１１０】
点字マップの出力機能は、ユーザにより検索された施設情報（例えば、ホテルなど）の検索結果を点字ディスプレイ２００及び音声出力部３００に出力するモードを含む。このモードは、検索結果のみを点字ディスプレイ２００に出力するモード、検索結果と、検索された情報の所在地周辺に存在するユーザにより予め登録されたランドマークとを点字ディスプレイ２００に出力するモード、及び、検索結果、ユーザにより予め登録されたランドマーク、及び所在地周辺の道路に関連する情報を点字ディスプレイ２００に出力するモードを含む。当該モードが有効にされているときに、ショートカットキーとして、アルファベットの小文字「ｍ」を表す点字キーが押下された場合、点字出力装置１は、何れかのモードに従った情報を点字ディスプレイ２００及び音声出力部３００に出力してよい。
【０１１１】
ショートカットキーとして、アルファベットの小文字「ｃ」を表す点字キーが押下された場合、点字出力装置１は、都市のデータベースに含まれる都市に関する情報を複数の点字出力部２０２に点字で出力するとともに、都市名を音声出力部３００に音声で出力させる。複数の点字出力部２０２に都市名が点字で出力されている状態で、エンターキー１１６が押下された場合、点字出力装置１は、その都市の位置を現在地とした点字マップを複数の点字出力部２０２に出力させる。
【０１１２】
ショートカットキーとして、バックスペースキー１１４及びアルファベットの小文字「ｑ」を表す点字キーが同時に押下された場合、「地点設定」が選択される。領域に関連する情報が出力されている複数の点字出力部２０２のうちの何れかに対応するタッチカーソル１３２が選択された場合。仮想モードにおける点字マップの現在位置として、点字出力装置１は、複数の点字出力部２０２のうちの中央に配置された点字出力部に現在位置に関する情報を点字で出力させる。
【０１１３】
「表示」が選択された場合、点字出力装置１は、点字マップのズームイン、ズームアウトを実行する。ショートカットキーとして、アルファベットの小文字「ｉ」を表す点字キーが押下された場合、点字出力装置１は、複数の点字出力部２０２の１マスの範囲に対応する縮尺を小さい縮尺に変更する。ショートカットキーとして、アルファベットの小文字「ｏ」を表す点字キーが押下された場合、点字出力装置１は、複数の点字出力部２０２の１マスの範囲に対応する縮尺に大きい縮尺に変更する。アルファベットの小文字「ｚ」が押下された場合、点字出力装置１は、現在の縮尺を音声出力部３００に音声で出力させる。
【０１１４】
「表示」が選択された場合、点字出力装置１を複数の表示モードで点字出力装置１に点字マップを出力させてよい。複数の表示モードは、施設及び道路を表示するモード、地図上の道路のみを表示するモード、及び施設のみを表示するモードを含んでよい。ショートカットキーとして、アルファベットの小文字「ｍ」を表す点字が点字キーを介して繰り返し入力されることで、点字出力装置１は、表示モードを他の表示モードに切り替える。複数の点字出力部２０２の１マスの範囲が１００ｍ以下の地図上の縮尺に設定されている場合、点字出力装置１は、道路のみを表示するモード、及び、施設及び道路を表示するモードを有効にしてよい。複数の点字出力部２０２の１マスの範囲が、２００ｍ以上の地図上の縮尺に設定されている場合、点字出力装置１は、表示モードを切り替える機能を無効に設定してよい。
【０１１５】
例えば、図５〜図７に示される縮尺の点字マップが実行されている間に、第２ファンクションキー１２２に関連付けられたプログラムメニュー内の「表示」が選択され、アルファベットの小文字「ｉ」を示す点字が点字キーを介して縮尺受付部４０２に入力された場合、情報特定部４０８は、縮尺が変更前の地点を含む、縮尺がより小さい領域に関連する新たな情報を特定してよい。点字特定部４１０は、縮尺がより小さい領域に関連する情報に対応する点字を予め定められた条件に基づいて特定してよい。点字出力制御部４１６は、変更前の地点に関連付けられていた点字出力部に新たな情報を出力させてよい。アルファベットの小文字「ｏ」を示す点字が点字キーを介して縮尺受付部４０２に入力された場合、情報特定部４０８は、縮尺が変更前の地点を含む、縮尺がより大きい領域に関連する新たな情報を特定してよい。点字特定部４１０は、縮尺がより大きい領域に関連する情報に対応する点字を予め定められた条件に基づいて特定してよい。点字出力制御部４１６は、変更前の地点に関連付けられていた点字出力部に新たな情報を出力させてよい。また、アルファベットの小文字「ｚ」を示す点字が点字キーを介して入力された場合、音声出力制御部４１２は、現在の縮尺の大きさを音声出力部３００に出力させてよい。
【０１１６】
点字出力装置１は、例えばインターネットに接続可能であってよい。点字出力装置１は、検索サイトにアクセスし、ユーザによりキー入力部１００を介して入力された施設名の検索結果のリストを複数の点字出力部２０２に順次出力してよい。第３ファンクションキー１２４が複数回押下されると、「点字マップ表示」を音声出力部３００に音声で出力させる。エンターキー１１６が押下された場合、点字出力装置１は、点字マップの表示機能が有効にし、検索結果のリストに含まれる施設を地図上に表した点字マップを複数の点字出力部２０２に出力させる。
【０１１７】
点字マップの表示機能を実行中に、第３ファンクションキー１２４が押下された場合、「閉じる」の音声を音声出力部３００に出力させる。エンターキー１１６が押下された場合、点字出力装置１は点字マップの表示機能を終了する。スペースキー１１８または第４ファンクションキー１２６が押下された場合、点字出力装置１は点字マップの表示機能を終了してよい。
【０１１８】
図１２は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたは全てに関連付けられた特定のオペレーションを実行させるべく、ＣＰＵ１２１２によって実行されてよい。
【０１１９】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【０１２０】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【０１２１】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【０１２２】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【０１２３】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【０１２４】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【０１２５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。そのような変更または改良を加えた形態も本発明の技術的範囲に含まれ得ることが、特許請求の範囲の記載から明らかである。
【０１２６】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【０１２７】
１  点字出力装置
１００  キー入力部
１０２  第１点字キー
１０４  第２点字キー
１０６  第３点字キー
１０８  第４点字キー
１１０  第５点字キー
１１２  第６点字キー
１１４  バックスペースキー
１１６  エンターキー
１１８  スペースキー
１２０  第１ファンクションキー
１２２  第２ファンクションキー
１２４  第３ファンクションキー
１２６  第４ファンクションキー
１２８  上スクロールキー
１３０  下スクロールキー
１３２  タッチカーソル
２００  点字ディスプレイ
２０２  点字出力部
２２０  出発地を表す点字
２２２  通過地点を表す点字
２２４  目的地を表す点字
３００  音声出力部
３０２  液晶ディスプレイ
４００  制御部
４０２  縮尺受付部
４０４  地点受付部
４０６  移動指示受付部
４０８  情報特定部
４１０  点字特定部
４１２  音声出力制御部
４１４  選択受付部
４１６  点字出力制御部
５００  メモリ部
５０２  地図データ
５０４  領域に関連する情報
５０６  道路に関する情報
５０８  施設もしくは地名に関する情報
５１０  移動指示データ
５１２  点字データ
８００  領域
８００−１  サブ領域
８００−２  サブ領域
８００−３  サブ領域
８００−４  サブ領域
８０１  辺
８０２  辺
８０３  辺
８０４  辺
８１０  中心線
８１２  交点
８１４  交点
８１６  直線
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【図１】
2020060999.tif 000003
【図２】
2020060999.tif 000004
【図３Ａ】
2020060999.tif 000005
【図３Ｂ】
2020060999.tif 000006
【図３Ｃ】
2020060999.tif 000007
【図４Ａ】
2020060999.tif 000008
【図４Ｂ】
2020060999.tif 000009
【図４Ｃ】
2020060999.tif 000010
【図４Ｄ】
2020060999.tif 000011
【図４Ｅ】
2020060999.tif 000012
【図５】
2020060999.tif 000013
【図６】
2020060999.tif 000014
【図７】
2020060999.tif 000015
【図８Ａ】
2020060999.tif 000016
【図８Ｂ】
2020060999.tif 000017
【図８Ｃ】
2020060999.tif 000018
【図８Ｄ】
2020060999.tif 000019
【図９】
2020060999.tif 000020
【図１０】
2020060999.tif 000021
【図１１】
2020060999.tif 000022
【図１２】
2020060999.tif 000023
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
地図の縮尺を示す第１縮尺を受け付ける縮尺受付部、
前記地図上の第１地点を受け付ける地点受付部、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部、
前記第１情報を点字出力装置の音声出力部に音声で出力させる音声出力制御部、
前記第１情報に対応する第１点字を予め定められた条件に基づいて特定する点字特定部、及び
前記点字出力装置が備える複数の点字出力部のうち前記第１地点に対応付けられた第１点字出力部に前記第１点字を出力させる点字出力制御部
としてコンピュータを機能させるためのプログラム。
【請求項２】
前記複数の点字出力部のうちの何れか１つの選択を受け付ける選択受付部として前記コンピュータをさらに機能させ、
前記情報特定部は、前記地図データを参照して、前記選択受付部により選択された点字出力部に対応付けられた地点を含む前記第１縮尺に応じた大きさの領域に関連する情報を特定し、前記音声出力制御部は、前記第１縮尺に応じた大きさの領域に関連する情報を前記音声出力部に音声で出力させる、請求項１に記載のプログラム。
【請求項３】
地図の縮尺を示す第１縮尺を受け付ける縮尺受付部、
前記地図上の第１地点を受け付ける地点受付部、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部、
前記第１情報に対応する第１点字を予め定められた条件に基づいて特定する点字特定部、及び
点字出力装置が備える複数の点字出力部のうち前記第１地点に対応付けられた第１点字出力部に前記第１点字を出力させる点字出力制御部
としてコンピュータを機能させるためのプログラム。
【請求項４】
前記領域に関連する情報は、前記領域に含まれる道路に関する情報、または施設もしくは地名に関する情報を含む、請求項１から３の何れか１つに記載のプログラム。
【請求項５】
前記領域に関連する情報は、縮尺が第１縮尺範囲に含まれる場合、前記領域に含まれる道路に関する情報、または施設もしくは地名に関する情報を含み、縮尺が前記第１縮尺範囲より縮尺が大きい第２縮尺範囲に含まれる場合、前記領域に含まれる施設もしくは地名に関する情報を含む、請求項４に記載のプログラム。
【請求項６】
前記道路に関する情報は、前記領域に含まれる予め定められた条件を満たす一本の道路の方位または交差点の情報を含み、
前記点字特定部は、前記第１情報が前記道路に関する情報である場合、前記第１情報に含まれる道路の方位または交差点に前記予め定められた条件に従って対応付けられた点字を前記第１点字として特定する、請求項４または５に記載のプログラム。
【請求項７】
前記点字は、６点式点字である、請求項１から６の何れか１つに記載のプログラム。
【請求項８】
前記複数の点字出力部は、一列に配置され、
前記情報特定部は、前記地図データを参照して、前記第１地点から前記第１縮尺に応じた予め定められた距離だけ第１方向に離れた第２地点を含む前記第１縮尺に応じた大きさの第２領域に関連する第２情報を特定し、
前記点字特定部は、前記第２情報に対応する第２点字を前記予め定められた条件に基づいて特定し、
前記点字出力制御部は、前記複数の点字出力部のうち、前記第１点字出力部の一方の側に配置され、前記第２地点に対応付けられた第２点字出力部に前記第２点字を出力させる、請求項１から７の何れか１つに記載のプログラム。
【請求項９】
前記情報特定部は、前記地図データを参照して、前記第１地点から前記第１縮尺に応じた予め定められた距離だけ第２方向に離れた第３地点を含む前記第１縮尺に応じた大きさの第３領域に関連する第３情報を特定し、
前記点字特定部は、前記第３情報に対応する第３点字を前記予め定められた条件に基づいて特定し、
前記点字出力制御部は、前記複数の点字出力部のうち、前記第１点字出力部の他方の側に配置され、前記第３地点に対応付けられた第３点字出力部に前記第３点字を出力させる、請求項８に記載のプログラム。
【請求項１０】
前記第１地点を第１方向または前記第１方向とは異なる第２方向に沿って前記第１縮尺に応じた予め定められた距離だけ移動させる移動指示を受け付ける移動指示受付部として前記コンピュータをさらに機能させ、
前記情報特定部は、前記移動指示受付部が前記移動指示を受け付けることに対応して、前記地図データを参照して、移動後の前記第１地点を含む前記第１縮尺に応じた大きさの新たな第１領域に関連する新たな第１情報を特定し、
前記点字特定部は、前記新たな第１情報に対応する新たな第１点字を前記予め定められた条件に基づいて特定し、
前記点字出力制御部は、前記第１点字出力部に前記新たな第１点字を出力させる、請求項１から９の何れか１つに記載のプログラム。
【請求項１１】
前記情報特定部は、前記縮尺受付部が縮尺の変更を受け付けることに対応して、前記地図データを参照して、縮尺が変更される前の前記第１地点を含む変更後の第１縮尺に応じた大きさの新たな第１領域に関連する新たな第１情報を特定し、
前記点字特定部は、前記新たな第１情報に対応する新たな第１点字を前記予め定められた条件に基づいて特定し、
前記点字出力制御部は、前記第１点字出力部に前記新たな第１点字を出力させる、請求項１から１０の何れか１つに記載のプログラム。
【請求項１２】
点字を出力する複数の点字出力部と、
地図の縮尺を示す第１縮尺を受け付ける縮尺受付部と、
前記地図上の第１地点を受け付ける地点受付部と、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する情報特定部と、
前記第１情報に対応する第１点字を予め定められた条件に基づいて特定する点字特定部と、
前記複数の点字出力部のうち前記第１地点に対応付けられた第１点字出力部に前記第１点字を出力させる点字出力制御部と
を備える点字出力装置。
【請求項１３】
前記複数の点字出力部は、一列に配列されている、請求項１２に記載の点字出力装置。
【請求項１４】
音声出力部と、
前記第１情報を前記音声出力部に音声で出力させる音声出力制御部と
をさらに備える、請求項１２または１３に記載の点字出力装置。
【請求項１５】
前記第１地点を第１方向に沿って一方側に前記第１縮尺に応じた第１距離だけ移動させる移動指示を出力する第１指示部と、
前記第１地点を前記第１方向に沿って他方側に前記第１距離だけ移動させる移動指示を出力する第２指示部と、
前記第１地点を前記第１方向とは異なる第２方向に沿って一方側に前記第１縮尺に応じた第２距離だけ移動させる移動指示を出力する第３指示部と、
前記第１地点を前記第２方向に沿って他方側に前記第２距離だけ移動させる移動指示を出力する第４指示部と、
前記第１指示部、前記第２指示部、前記第３指示部、及び前記第４指示部の何れかからの移動指示を受け付ける移動指示受付部と
をさらに備え、
前記情報特定部は、前記移動指示受付部が前記移動指示を受け付けることに対応して、前記地図データを参照して、移動後の前記第１地点を含む前記第１縮尺に応じた大きさの新たな第１領域に関連する新たな第１情報を特定し、
前記点字特定部は、前記新たな第１情報に対応する新たな第１点字を前記予め定められた条件に基づいて特定し、
前記点字出力制御部は、前記第１点字出力部に前記新たな第１点字を出力させる、請求項１２から１４の何れか１つに記載の点字出力装置。
【請求項１６】
前記第１地点を前記第１方向に沿って一方側に前記第１縮尺に応じた第１距離より長い第３距離だけ移動させる移動指示を出力する第５指示部と、
前記第１地点を前記第１方向に沿って他方側に前記第３距離だけ移動させる移動指示を出力する第６指示部と、
前記第１地点を前記第２方向に沿って一方側に前記第１縮尺に応じた前記第２距離より長い第４距離だけ移動させる移動指示を出力する第７指示部と、
前記第１地点を前記第２方向に沿って他方側に前記第４距離だけ移動させる移動指示を出力する第８指示部と
をさらに備え、
前記移動指示受付部は、前記第５指示部、前記第６指示部、前記第７指示部、及び前記第８指示部の何れかからの移動指示をさらに受け付ける、請求項１５に記載の点字出力装置。
【請求項１７】
地図の縮尺を示す第１縮尺を受け付ける段階と、
前記地図上の第１地点を受け付ける段階と、
前記地図上のそれぞれの地点を含む縮尺に応じた大きさの領域に関連する情報を示す地図データを参照して、前記第１地点を含む前記第１縮尺に応じた大きさの第１領域に関連する第１情報を特定する段階と、
前記第１情報に対応する第１点字を予め定められた条件に基づいて特定する段階と、
点字出力装置が備える複数の点字出力部のうち前記第１地点に対応付けられた第１点字出力部に前記第１点字を出力させる段階と
を備える点字出力方法。